(57)【要約】【課題】上下方向と長手方向とが伸縮自在であるスライドパネルを提供する。【解決手段】金属薄板製の外側本体下側半体４と、外側本体上側半体５と、内側本体下側半体６と、内側本体上側半体７と、を備え長手方向と、上下方向と、に伸縮自在である。【選択図】　図７
2004003799.tif 000002
【特許請求の範囲】
【請求項１】
金属繊維フィルター２、を備えたことを特徴とするスライドパネル。
【請求項２】
難燃性繊維フィルター３、を備えたことを特徴とするスライドパネル。
【請求項３】
外側本体下側半体４と、内側本体下側半体６と、外側本体上側半体５と、内側本体上側半体７と、を備えたことを特徴とするスライドパネル。
【請求項４】
窓部８を備えたことを特徴とする請求項３記載のスライドパネル。
【請求項５】
窓部８を閉じるように張設された金属繊維フィルター２、または難燃性繊維フィルター３を、備えたことを特徴とする請求項４記載のスライドパネル。
【請求項６】
長手方向と、上下方向と、に伸縮自在であることを特徴とするスライドパネル。
【請求項７】
長手方向と、上下方向と、に伸縮自在である請求項３、または請求項５記載のスライドパネル。
【請求項８】
ジョイント材１を用いて任意の方向に接続自在である請求項７記載のスライドパネル。
【請求項９】
長手方向と、上下方向と、に自在にスライドする伸縮ガイド機構Ｓを有する請求項８、記載のスライドパネル。
【請求項１０】
補助スライド機構Ｈを有し、該補助スライド機構Ｈが凸形突起部９を有する請求項９記載のスライドパネル。
【発明の詳細な説明】
【０００１】
【発明の属する技術分野】
本発明は、コンロ、またはレンジフードに設置するアルミパネルに関する。
【０００２】
【従来の技術】
従来、アルミパネルは、コンロに使用するものとしては、１枚の金属薄板乃至金属箔を、１方向または２方向に折り曲げて周りを遮蔽するだけのアルミパネルがあった。また、レンジフードに使用するものとしては、長手方向だけがスライドするものがあった。
【０００３】
【発明が解決しようとする課題】
しかし、それらは例えば、コンロにアルミパネルを付設する際、取り付けサイズに融通がきかないため、該コンロの寸法にうまく適合せず、消費者のニーズに合った的確な寸法のアルミパネルをコンロに付設することは不可能であった。さらに、調理等の状況に合わせて、アルミパネルが周りを遮蔽する部分の範囲等を自在に調設することが出来なかった。また、アルミパネルが周り全体を遮蔽しているため、油等が該アルミパネルにこびりついて非常に不潔であった。そして、臭い、煙等が篭り不快でもあった。また、レンジフードに使用されるアルミパネルは、長手方向に伸縮するが、上下方向（幅方向）が一定であるため、付設できないものもあり、また仮に付設できてもその付設後、該レンジフードと該アルミパネルとの間に隙間ができたりして本来の目的が十分に達せられず、そのため使用されるレンジフードの寸法によってアルミパネルを２枚、３枚と併せて該隙間を防ぐため、非常に無駄であり、また厄介でもあった。
【０００４】
そこで、本発明は、長手方向と、上下方向と、に伸縮自在且つ、付設方向自在に接続できるスライドパネルを提供することを目的とする。また、内部に臭い、煙が篭らないスライドパネルを提供することを他の目的とする。
【０００５】
【課題を解決するための手段】
上述の目的を達成するために、本発明に係るスライドパネルは、金属薄板製乃至金属箔製のパネルが、長手方向と、上下方向と、に伸縮自在且つ、付設方向自在に接続できる。
【０００６】
また、金属薄板製乃至金属箔製のパネルと、該パネルの窓部を閉じるように張設された金属繊維フィルター、または難燃性繊維フィルターと、を備えたものである。
【０００７】
また、伸縮ガイド機構を有し、該伸縮ガイド機構が略小円管状部を有するものである。また、補助スライド機構を有し、補助スライド機構が凸状の突起部を有するものである。
【０００８】
【発明の形態】
以下、実施の形態を示す図面に基づき、本発明を詳説する。
図１〜図６に於て、本発明の実施の形態の使用状態を示す。すなわち、このスライドパネルＰは、レンジフードＲ、またはコンロＫに付設される。図４は、このスライドパネルＰが、レンジフードＲにヨーク付き磁石Ｍによって付設された状態を示し、、図５、および図６は、このスライドパネルＰ１と、Ｐ２と、がジョイント材１によって付設方向自在に接続さた後、コンロＫに付設された状態を示す。
【０００９】
図８、このスライドパネルＰは、金属薄板製乃至金属箔製の外側本体下側半体４と、外側本体上側半体５と、内側本体下側半体６と、内側本体上側半体７と、を備え、該外側本体下側半体４と、該外側本体上側半体５と、該内側本体下側半体６と、該内側本体上側半体７と、の窓部８を閉じるように張設された金属繊維フィルター２、または難燃性繊維フィルター３、を備える。
【００１０】
図７〜１０に於て、スライドパネルＰは長手方向と、上下方向と、の伸縮自在である。すなわち、スライドパネルＰの長手方向の伸縮は、外側本体下側半体４と、該外側本体下側半体４に対して長手方向に伸縮自在な内側本体下側半体６とからなり、スライドパネルＰの上下方向の伸縮は、外側本体下側半体４と、内側本体下側半体６と、に対して上下方向に伸縮自在な外側本体上側半体５と、内側本体上側半体７と、からなる。図７、図８は、スライドパネルＰの伸長状態を示し、図９、図１０は、該スライドパネルＰの短縮状態を示す。図１１は、スライドパネルＰ１とスライドパネルＰ２とが、ジョイント材１によって方向自在に接続された状態を示し、図１２は、接続された該スライドパネルＰ１と、該スライドパネルＰ２と、が長手方向と、上下方向と、に伸長した状態を示す。
【００１１】
このように、スライドパネルＰは長手方向と、上下方向と、に伸縮自在なので、図１に示すように、レンジフードＲの長手方向の長さ寸法Ｌ１と、上下方向の高さ寸法Ｈ１と、に応じてＬ２と、Ｈ２と、を調節して付設することができる。
【００１２】
また、スライドパネルＰは長手方向と、上下方向と、に伸縮自在且つ、方向自在に接続できるので、図２、図３、に示すように、コンロＫに必要とされる長手方向の長さ寸法Ｌ１と、上下方向の幅寸法Ｗ１と、に応じてジョイント材１を介して接続後、的確に付設することができる。さらに、必要に応じて自在に長さ寸法Ｌ２、高さ寸法Ｈ２を調節して付設することができる。
【００１３】
具体的には、図１３に示すように、スライドパネルＰは、伸縮ガイド機構Ｓを有する。この伸縮ガイド機構Ｓは、図１４に示すように、略小円管状部Ｂ、Ｃを有する。つまり、外側本体上側半体５（図１７参照）と、内側本体上側半体７（図１８参照）は、その左端面と、その右端面と、の上下方向に略小円管状部Ｂを有する。一方、外側本体下側半体４（図１５参照）は、その左端面と、その右端面と、の上下方向および、その上端面と、その下端面と、の長手方向に略小円管状部Ｂを略包囲状に弯曲する包囲部Ａと、包囲部Ａから連設されて内側に弯曲する略小円管状部Ｃと、を有する。内側本体下側半体６（図１６参照）は、その左端面と、その右端面部と、の上下方向に、略小円管状部Ｂを略包囲状に弯曲する包囲部Ａと、包囲部Ａから連設されて内側に弯曲する略小円管状部Ｃと、を有し、その上端面と、その下端面と、の長手方向に略称円管状部Ｂを有する。長手方向または、上下方向に伸縮させるとき、略小円管状部Ｂと略小円管状部Ｃとがスライドするので、軽くスムーズに伸縮を行なうことができる。
【００１４】
図１５〜図１８は、スライドパネルＰの外側本体下側半体４と、内側本体下側半体６と、外側本体上側半体５と、内側本体上側半体７と、の斜視図およびその要部拡大図を示し、図１９は、外側本体下側半体４と、内側本体下側半体６と、外側本体上側半体５と、内側本体上側半体７と、が難燃性繊維フィルター３を固着する窓部８を形成された状態を示し、図２０は該窓部８に難燃性繊維フィルター３が張設されて固着された状態を示す。
【００１５】
このように、スライドパネルＰの外側本体下側半体４と、内側本体下側半体６と、外側本体上側半体５と、内側本体上側半体７と、の窓部８に難燃性繊維フィルター３を固着する場合、溶着、薬品、接着剤等にて簡易に固着することが出来る。
【００１６】
図２１〜図２４に於て、金属繊維フィルター２をスライドパネルＰの外側本体下側半体４と、内側本体下側半体６と、外側本体上側半体５と、内側本体上側半体７と、の窓部８に固着する方法を説明する。
【００１７】
まず、図２１に示すように、帯板状の金属繊維フィルター２に切込線１０を形成する。一方、図２２〜２３に示すように、内側本体下側半体６の窓部８、の縁を折り曲げて、切起片１１を形成する。すなわち、図２２に示すように、打ち抜きにて切起片１１を形成した後、９０°山折りすることにより、切起片１１を起立させる。外側本体下側半体４（図１５参照）と、外側本体上側半体５（図１７参照）と、内側本体上側半体７（図１８参照）と、も内側本体下側半体６と同様に作製する。
【００１８】
次に、図２４に示すように、切起片１１を切込線１０に差し込む。その後、図２５に示すように、切起片１１をさらに折曲げて挟着して、金属繊維フィルター２を内側本体下側半体６の窓部８に固着する。外側本体下側半体４と、外側本体上側半体５と、内側本体上側半体７と、も内側本体下側半体６と同様に固着する。
【００１９】
図２６は、スライドパネルＰの内側本体下側半体６の窓部８に、金属繊維フィルター２が、張設されて固着された状態を示す。
【００２０】
図１４、図２７、図２８に於て、ジョイント材１がスライドパネルＰとスライドパネルＰを、接続する方法を説明する。
【００２１】
図２８は、ジョイント材１を用いて、スライドパネルＰ１と、スライドパネルＰ２が、縦方向に接続された状態の要部拡大斜視図を示す。ジョイント材１は、弾発部材で形成されており、挟持頭１ｃを軸にして、挟持脚１ａと、挟持脚１ｂと、を備えている。該挟持脚１ａと、該挟持脚１ｂと、伸縮ガイド機構Ｓの挟持接続部１２に挿入することで、スライドパネルＰ１と、該スライドパネルＰ２と、は接続される。
【００２２】
すなわち、スライドパネルＰ１と、スライドパネルＰ２と、に在る伸縮ガイド機構Ｓの、それぞれの挟持接続部１２に、挟持脚１ａと、挟持脚１ｂと、を差し込んで挿入することにより、スライドパネルＰ１の外側本体下側半体４の挟持接続面Ｄと、スライドパネルＰ２の外側本体下側半体４の挟持接続面Ｄと、が接面状態となり、弾発部材で形成されているジョイント材１の挟持脚１ａと、挟持脚１ｂと、が該接続面Ｄと、該接続面Ｄと、を互いに挟持することで、スライドパネルＰ１と、スライドパネルＰ２と、は確実に接続される。
【００２３】
図２９は、スライドパネルＰの内側本体下側半体６に形成されている、補助スライド機構Ｈの要部拡大斜視図を示す。補助スライド機構Ｈは、内側本体上側半体７がスライドする内側本体下側半体６の面側に、凸形突起部９が任意に形成されている。つまり、内側本体上側半体７は、該凸形突起部９の高さＨ３の分だけ浮いて内側本体下側半体６と嵌合される。
【００２４】
図３０は、外側本体下側半体４と内側本体下側半体６が長手方向に伸縮する伸縮ガイド機構Ｓと、補助スライド機構Ｈと、内側本体上側半体７と、の要部拡大断面図である。すなわち、内側本体上側半体７が上下方向に伸縮するとき、該外側本体下側半体４と内側本体下側半体６の上端面と、下端面と、に在る長手方向に伸縮する伸縮ガイド機構Ｓと、内側本体上側半体７と、がぶつかり合って内側本体上側半体７の上下方向の伸縮が妨げられるのを防ぐために、該補助スライド機構Ｈに形成される凸形突起部９の高さＨ３は、該伸縮ガイド機構Ｓの高さＨ４よりも僅かに高く設定されて形成されている。
【００２５】
尚、本発明は、設計変更自在であって、例えば補助スライド機構Ｈが凸形突起部９を形成して上下伸縮作動をスムーズにしているが、凸形突起部９を無くすも自由である。また、ジョイント材１が複数のスライドパネルを方向自在に接続しているが、付設方向を固定して接続せずに、一体成形をするも良い。
【００２６】
【発明の効果】
本発明は、上述の如く構成されるので、次に記載する効果を奏する。
（請求項３、請求項５によれば）金属繊維フィルター２と難燃性フィルター３とを、消費者の用途・要望、価格に応じて製作することができる。また、レンジフードＲと、コンロＫと、の兼用製作、および兼用使用ができるため、安価に、しかもタイプを統一して製作および購入ができる。
（請求項８によれば）ジョイント材１を用いて方向自在に接続できるので、あらゆる大きさののコンロＫに兼用付設することができる。
（請求項９によれば）略小円管状部Ｂと略小円管状部Ｃとがスライドするので、上下方向と、長手方向と、に伸縮自在であり、あらゆる大きさのレンジフードＲに付設することができる。
【図面の簡単な説明】
【図１】本発明の実施の形態を示す説明斜視図である。
【図２】本発明の実施の形態を示す説明斜視図である。
【図３】本発明の実施の形態を示す説明斜視図である。
【図４】使用状態を示す斜視図である。
【図５】使用状態を示す斜視図である。
【図６】使用状態を示す斜視図である。
【図７】伸長した状態を示す斜視図である。
【図８】フィルターが張設されて伸長した状態を示す斜視図である。
【図９】短縮した状態を示す斜視図である。
【図１０】フィルターが張設されて短縮した状態を示す斜視図である。
【図１１】接続されて短縮した状態を示す斜視図である。
【図１２】接続されて伸長した状態を示す斜視図である。
【図１３】要部拡大側面図である。
【図１４】説明用要部拡大断面図である。
【図１５】斜視図と要部拡大図である。
【図１６】斜視図と要部拡大図である。
【図１７】斜視図と要部拡大図である。
【図１８】斜視図と要部拡大図である。
【図１９】斜視図である。
【図２０】斜視図である。
【図２１】金属繊維フィルター、または耐熱性繊維フィルターを示す平面図である。
【図２２】斜視図である。
【図２３】斜視図である。
【図２４】説明用要部拡大断面図である。
【図２５】要部拡大正面断面図である。
【図２６】斜視図である。
【図２７】斜視図である。
【図２８】説明用要部拡大斜視図である。
【図２９】斜視図である。
【図３０】説明用要部拡大側面断面図である。
【符号の説明】
１　　ジョイント材
１ａ　挟持脚
１ｂ　挟持脚
２　　金属繊維フィルター
３　　難燃性繊維フィルター
４　　外側本体下側半体
５　　外側本体上側半体
６　　内側本体下側半体
７　　内側本体上側半体
８　　窓部
９　　凸形突起部
１０　切込線
１１　切込片
１２　挟持接続部
Ａ　　略包囲部
Ｂ　　略小円管状部
Ｃ　　略小円管状部
Ｄ　　挟持接続面
Ｓ　　伸縮ガイド機構
【図１】
2004003799.tif 000003
【図２】
2004003799.tif 000004
【図３】
2004003799.tif 000005
【図４】
2004003799.tif 000006
【図５】
2004003799.tif 000007
【図６】
2004003799.tif 000008
【図７】
2004003799.tif 000009
【図８】
2004003799.tif 000010
【図９】
2004003799.tif 000011
【図１０】
2004003799.tif 000012
【図１１】
2004003799.tif 000013
【図１２】
2004003799.tif 000014
【図１３】
2004003799.tif 000015
【図１４】
2004003799.tif 000016
【図１５】
2004003799.tif 000017
【図１６】
2004003799.tif 000018
【図１７】
2004003799.tif 000019
【図１８】
2004003799.tif 000020
【図１９】
2004003799.tif 000021
【図２０】
2004003799.tif 000022
【図２１】
2004003799.tif 000023
【図２２】
2004003799.tif 000024
【図２３】
2004003799.tif 000025
【図２４】
2004003799.tif 000026
【図２５】
2004003799.tif 000027
【図２６】
2004003799.tif 000028
【図２７】
2004003799.tif 000029
【図２８】
2004003799.tif 000030
【図２９】
2004003799.tif 000031
【図３０】
2004003799.tif 000032
【手続補正書】
【提出日】平成14年12月19日(2002.12.19)
【手続補正１】
【補正対象書類名】明細書
【補正対象項目名】発明の名称
【補正方法】変更
【補正の内容】